(57)【要約】【課題】  絞りを組み込みながらも撮影レンズ回りをコンパクト化する。【解決手段】  内筒２２に４枚の絞り羽根３０を組み込む。絞り羽根３０の組み込み位置に対応して内筒２２に開口２７を形成する。開口２７に対応して光変形プラスチックシート製の絞り駆動シート３５を設け、その一端を内筒２２に固定する。開口２７に対応して外筒２３に紫外線ＬＥＤ２４と白色ＬＥＤとを組み込む。被写体輝度が高いとき、紫外線ＬＥＤ２４を点灯させ、絞り駆動シート３５を湾曲変形させる。湾曲変形した絞り駆動シート３５によって絞り羽根３０の後縁が押され、絞り羽根３０の前縁が開口２８の内側に入り込み、小絞り口径が得られる。白色ＬＥＤを点灯させると絞り駆動シート３５が平坦な形状に戻り、絞り羽根３０の前縁が開口２８から退避して開放絞りが得られる。【選択図】        図５
2005181869.tif 000002
【特許請求の範囲】
【請求項１】
撮影光路内で移動して撮影光の光量調節を行う絞り羽根と、この絞り羽根を撮影光路内で移動させるアクチュエータとからなるカメラ用絞り装置において、
前記アクチュエータが、第一波長域の光を受けて変形し、第二波長域の光を受けて復元する光変形プラスチックであることを特徴とするカメラ用絞り装置。
【請求項２】
前記アクチュエータが、第一波長域の紫外線光を受けて平坦な形状から湾曲変形し、紫外線よりも波長が長い第二波長域の光を受けて平坦な形状に復元する光変形プラスチック製のシートで構成され、かつこのシートに紫外線光と紫外線よりも長波長の光とを選択的に照射する光源装置を備えたことを特徴とする請求項１記載のカメラ用絞り装置。
【請求項３】
前記光源装置は、選択的に駆動される紫外線発光ダイオードと白色光発光ダイオードとからなることを特徴とする請求項２記載のカメラ用絞り装置。
【請求項４】
請求項１ないし３いずれか記載の絞り装置を備えたことを特徴とするカメラ。
【発明の詳細な説明】
【技術分野】
【０００１】
本発明は、携帯型の写真カメラやデジタルカメラに好適な絞り装置に関し、またこのような絞り装置を用いたカメラに関するものである。
【背景技術】
【０００２】
携帯型カメラのコンパクト化及び軽量化が進み、特に携帯電話機やＰＤＡ（Personal Digital Assistant) に組み込まれるデジタルカメラでは、ＣＣＤ型あるいはＭＯＳ型のイメージセンサなどの撮像素子の小型化とともに撮影レンズも小型化されてきている。デジタルカメラでは、撮影レンズで結像された光学的な被写体像をイメージセンサで光電変換するときに電荷蓄積時間を電気的に制御し、あるいは光電変換後の撮像信号に適宜の増幅処理を行うことによって、被写体輝度の高低に大きく左右されることなくほぼ適切な信号レベルの撮像信号を得ることができる。
【０００３】
しかし、フラッシュ照明を必要とするような暗い場合や、晴天時の海岸や雪山で撮影を行う場合には、上述した電気的な処理だけで信号レベルを調整するのでは撮像信号にノイズが重畳しやすくなったり、高輝度領域の階調表現が乏しくなることが知られている。こうした理由から、撮影レンズに絞り装置を組み込み、イメージセンサに結像される被写体像の明るさも調節できるようにしておくことが有利である。絞り装置は撮影光路内で移動して光量調節する絞り羽根と絞り羽根を移動させるためのアクチュエータとからなり、一般的な自動絞り型のものでは、特許文献１などで知られるように、被写体輝度の測定信号に応じてアクチュエータを駆動して絞り羽根を移動させ、自動的に光量調節を行うようにしている。
【０００４】
【特許文献１】特開２００２−２３２７７５号公報
【発明の開示】
【発明が解決しようとする課題】
【０００５】
従来の絞り装置では、絞り羽根駆動用のアクチュエータとして電流計や小型モータなどの電磁装置が用いられ、また絞り羽根を大開口と小開口との間で二段切替えするものにしても電磁石が用いられている。このため、撮影レンズの近傍にコイル部品が必要となってコンパクト化を図る上では不利である。しかも、携帯電話機に内蔵される最近のデジタルカメラでは、撮影レンズに接写機能やズーム機能をもたせることも検討され、撮影レンズ回りをできるだけコンパクト化したいという要求はこれまで以上に切実なものとなっている。さらに、携帯電話機のようにバッテリー容量が小さいものでは、アクチュエータとしてコイルを利用すると電流消費も無視できないものとなる。
【０００６】
本発明は上記背景を考慮してなされたもので、撮影レンズ回りをほとんど大型化させることなく、しかも絞り羽根の駆動時における電源消耗も十分に小さく抑えることができるようにしたカメラ用絞り装置及びこれを用いたカメラを提供することを目的とする。
【課題を解決するための手段】
【０００７】
上記目的を達成するにあたり、本発明の絞り装置は、絞り羽根を移動させるためのアクチュエータとして、特定の第一波長域の光を照射することによって変形し、また別の第二波長域の光を照射すると元の形状に復元する光変形プラスチックを用いたことを特徴とする。このような光変形プラスチックの一例としては、アゾベンゼン分子を主原料とする高分子材料が英国雑誌「ＮＡＴＵＲＥ」（Vol.245 11 SEPTEMBER 2003 ）などで知られており、この光変形プラスチックは紫外線の照射により平坦な形状から湾曲変形し、可視光の照射により元の平坦な形状に戻る性質を有している。
【０００８】
そして本発明では、このような光変形プラスチックが第一波長域あるいは第二波長域の光を受けて変形／復元する動作を利用して絞り羽根を移動させるようにしてある。さらに本発明の絞り装置は、特に上記英国雑誌で知られる光変形プラスチックを効果的に利用することができるように、この光変形プラスチックを変形／復元させるための紫外線及び紫外線よりも波長が長い光を選択的に発光する光電装置をも構成に含めるのが有利であり、またこのような光源装置としては紫外線発光ダイオードと白色光発光ダイオードとを用いるのが好適である。
【発明の効果】
【０００９】
本発明のカメラ用絞り装置によれば、絞り羽根の移動のためにコイルなどの電磁装置を要しないから、撮影レンズ回りのコンパクト化に資するところが大きい。また、光変形プラスチックを変形・復元させるために、コイルと比較して消費電流が格段に小さい発光ダイオードを用いるから電源消耗を防ぐことも可能となる。
【発明を実施するための最良の形態】
【００１０】
図１にデジタルカメラ内蔵型の携帯電話機の外観を示す。この携帯電話機は、ヒンジ部２により折り畳み自在に連結された受話器ユニット３と送話器ユニット４とからなる。受話器ユニット３にデジタルカメラが内蔵され、撮影レンズ５が受話器ユニット３の外面に露出している。受話器ユニット３の外面には、さらにアンテナ６、液晶表示パネル７、暗い被写体を撮影するときに補助照明を放射するフラッシュ窓８が設けられている。
【００１１】
送話器ユニット４の内面側には送話マイク１０のほか、送話時のダイヤル操作を行うためのダイヤルキーや各種の設定キーなどからなるキー操作部１２が設けられている。送話器ユニット４の一方の側面にメモリカード１３を装填したときには、デジタルカメラの撮影で得た画像データをこのメモリカード１３に保存しておくことができる。
【００１２】
受話器ユニット３に内蔵されたデジタルカメラの要部断面を示す図２において、撮影レンズ５は第一レンズ５ａと第二レンズ５ｂとから構成され、その結像面にＣＣＤイメージセンサ１５の光電面が位置している。画像データの処理回路などが実装されたカメラ基板１６は受話器ユニット３の筐体にビス止めで固定され、撮影したときにＣＣＤイメージセンサ１５から出力された撮像信号は、フレキシブル配線及びコネクタを通してカメラ基板１６の所定の回路ユニットに入力される。
【００１３】
第一レンズ５ａを保持した第一鏡筒１８と第二レンズ５ｂを保持した第二鏡筒１９との間に挟まれるように絞り装置２０が組み込まれている。後述するように、絞り装置２０には二種類の発光ダイオード（ＬＥＤ）が組み込まれているため、絞り装置２０から引き出されたフレキシブル配線もまた、カメラ基板１６の所定個所に結線されている。
【００１４】
図３に示すように、絞り装置２０は第一鏡筒１８の後端に結合される内筒２２と、第二鏡筒１９の前端に結合される外筒２３とを有している。外筒２３の内面には、光軸に関して９０°の回転対称となる位置ごとに、３００〜４００ｎｍの近紫外線光を放射する紫外線ＬＥＤ２４と白色光を放射する白色ＬＥＤ２５との対が設けられている。これらのＬＥＤ２４，２５からの放射光は、内筒２２に外筒２３を組み付けたときに、内筒２２の開口２７を通って内部に照射される。
【００１５】
なお、外筒２３の内周面には図示のように光軸と平行に４本の突状が形成され、内筒２２の外周面には対応して４本のガイド溝が形成されている。外筒２３は内筒２２の後端側から光軸方向に組み付けられるが、そのときに各々の突条がガイド溝に進入するので、内筒２２と外筒２３との光軸回りの位置決めが行われ、各々のＬＥＤ２４，２５はそれぞれ対応する開口２７に対面する。また、突条の一本を短くし、これに対応する一本のガイド溝も短くしてあるから、光軸方向での位置決めも同時に行われる。
【００１６】
図４に示すように、内筒２２の後端壁には第一レンズ５ａから入射した撮影光が通過する開口２８が形成されこの開口２８が開放絞りとなる。この開口２８を取り囲み、第一レンズ５ａ以降の撮影光路内でそれぞれ揺動自在となるように、４枚の絞り羽根３０が各々の軸３１に軸着され、それぞれ軽いバネ３２の付勢により反時計方向に付勢されている。各絞り羽根３０には軸３１を中心にした円弧状のスロット３３が形成され内筒の後端壁に突設したピン３４に係合している。図示の状態は、絞り羽根３０がバネ３２の付勢で反時計方向にいっぱいに揺動し、スロット３３の一端とピン３４との当接により開口２８から完全に退避し、開放絞りになっていることを示す。
【００１７】
内筒２２の開口２７をそれぞれ内側から塞ぎ、しかも各々の絞り羽根３０の後縁に臨む位置に、光変形プラスチック製のシートからなる４枚の絞り駆動シート３５が設けられている。絞り駆動シート３５はその一端縁が内筒２２の内壁にビス止めされ、３００〜４００ｎｍの近紫外線光の照射を受けたときに内側に膨らむように湾曲変形し、変形後には近紫外線光の照射を断っても湾曲形状を記憶しており、そして可視光を照射すると再び平坦なシート状に戻る習性を有している。したがって、紫外線ＬＥＤ２４が点灯すると図５に示すように絞り駆動シート３５が変形して絞り羽根３０の後縁を押圧する。これにより絞り羽根３０はバネ３２の付勢に抗して時計方向に揺動し、スロット３３の他端がピン３４に当接した状態で保持されるようになり、絞り羽根３０の前縁が開口２８の内側に入り込んで小絞り状態となる。
【００１８】
図５に示すように絞り駆動シート３５が湾曲して絞り羽根３０が小絞り位置に移動した後は、紫外線ＬＥＤ２４を消灯しても絞り羽根３０は小絞り位置にとどまるが、紫外線ＬＥＤ２４の代わりに白色ＬＥＤ２５を点灯させると絞り駆動シート３５は元の平坦な形状に戻る。これにより、絞り羽根３０はバネ３２の付勢により再び図４に示す開放絞り位置に戻るようになる。また、絞り羽根３０の一枚に対面して反射型のホトセンサ３６が組み込まれ、絞り羽根３０が開放絞り位置にあるか小絞り位置にあるのかを光電検出することができるようになっている。なお、絞り駆動シート３５を元の平坦な形に戻すには５４０ｎｍ付近の可視光でよいので、白色ＬＥＤ２５の代わりに５４０ｎｍの光を含む緑色光放射のＬＥＤを用いることも可能である。
【００１９】
携帯電話機をカメラモードに切り替えるとＣＣＤイメージセンサ１５の駆動が開始され、撮影レンズ５でＣＣＤイメージセンサ１５の光電面上に結像された被写体像が光電変換され撮像信号が得られる。こうして得られた撮像信号は、カメラ基板１６に実装されているプリアンプ、オートゲインコントローラ（ＡＧＣ）回路、クリップ回路などに入力され、一画面分の撮像信号を積分した信号レベルが適切な範囲に収まるようにフィードバック制御される。こうしてレベル調整された撮像信号は、デジタル変換処理の後に周知の信号処理が施されることによってデジタル化された画像データとなり、受話器ユニット３の内面側に組み込まれた液晶ディスプレイには被写体像が表示される。
【００２０】
ＣＣＤイメージセンサ１５からは一定の周期で撮像信号が出力され、これに同期して上述した種々の信号処理が行われるから、液晶ディスプレイには被写体のスルー画像が表示されるようになる。そして、適宜のタイミングでシャッタレリーズ操作を行うと、その直後に得られた一画面分の画像データが内蔵メモリに書き込まれ、さらに記録操作を行ったときには、その画像データはメモリカード１３に書き込まれる。
【００２１】
ところで、被写体が明るすぎたり暗すぎたりすると、電気的な処理だけで撮像信号の信号レベルを適切な範囲に収めるには、ＣＣＤイメージセンサ１５の電荷蓄積時間やＡＧＣ回路の増幅率を極端な値に近づける必要が生じてくる。これに伴い、被写体の明るい部分で階調のつぶれが生じたりノイズの重畳が避けられず画像品質の低下が目立ってくる。そこで、被写体が明る過ぎるときには絞り羽根３０を図５に示す小絞り位置に移動させ、暗すぎるときには絞り羽根３０を図４に示す開放絞り位置に移動させれば、電荷蓄積時間やＡＧＣ回路の増幅率を極端な値にしなくても済むようになり、画像品質を改善することが可能となる。
【００２２】
図６に本発明の絞り装置２０の制御処理を示す。この制御処理は、カメラモードへの切替えが行われると例えば５ｍｓｅｃごとのタイマ割り込みによって繰り返し実行される。ＣＣＤイメージセンサ１５から得られる撮像信号は一画面単位で積分され、その積分値に基づいて被写体輝度の測定が行われる。測定された被写体輝度Ｓは、予め設定された高輝度値ＳH 及び低輝度値ＳL （ＳH ＞ＳL ）と比較される。例えば高輝度値ＳH としては、写真測光におけるフイルム感度ＩＳＯ１００換算の露出値１２ＥＶ程度に相当し、低輝度値ＳL としてはＥＶ６に相当し、これらの高輝度値ＳH 及び低輝度値ＳL は絞り羽根３０が開放絞り位置あるいは小絞り位置のいずれであったとしても、ＡＧＣ回路の増幅率を極端に大きくしたり小さくしたりせずに、あるいはＣＣＤイメージセンサ１５の電荷蓄積時間を極端に長くしたり短くしたりせずに電気的な処理だけで撮像信号の信号レベルをほぼ適切な範囲に収めることができる値を基準にして設定されている。
【００２３】
測定された被写体輝度Ｓが「ＳL ≦Ｓ≦ＳH 」の範囲にあるときには、前述のように絞り羽根３０が開放絞り位置あるいは小絞り位置のいずれであっても電気的な処理で信号レベルの調整が可能であるから、特に絞り変更処理は行われない。なお、直前に測定された被写体輝度Ｓが高輝度値ＳH より高い場合や低輝度値ＳL より低い場合、それぞれ後述するＳH フラグ，ＳL フラグがセットされた状態になっているので、この場合には絞り羽根３０の位置を確認してそれぞれ所定の処理が行われる。
【００２４】
被写体輝度Ｓ＞ＳH のときにはＳH フラグをセットして紫外線ＬＥＤ２４が点灯し、絞り羽根３０が図５に示す小絞り位置に向かって絞り込まれる。絞り羽根３０が小絞り位置まで移動したことがホトセンサ３６で検知されると、紫外線ＬＥＤ２４が消灯して絞り羽根３０は小絞り位置で保持される。同様に、被写体輝度Ｓ＜ＳL のときにはＳL フラグをセットして白色ＬＥＤ２５が点灯し絞り羽根３０が図４に示す開放絞り位置に向かって揺動する。絞り羽根３０が開放絞り位置まで移動したことがホトセンサ３６で検知されると、白色ＬＥＤ２５が消灯して絞り羽根３０は開放絞り位置で保持される。
【００２５】
上記のように、測定された被写体輝度Ｓが高輝度値ＳH よりも高ければ絞り羽根３０が小絞り位置に、被写体輝度Ｓが低輝度値ＳL よりも低ければ絞り羽根３０が開放絞り位置に移動するから、ＣＣＤイメージセンサ１５の光電面上に極端に明るい、あるいは極端に暗い被写体像が結像されることがない。したがって、電荷蓄積時間やＡＧＣ回路の増幅率を適切な範囲内で可変するだけで、撮像信号の信号レベルを適切な範囲に調節することができるようになる。なお、撮像信号の信号レベル調節を行うにあたり、ローコスト化や処理時間の短縮化を図るために電荷蓄積時間あるいはＡＧＣ回路の増幅率の一方だけを調節するようにしてもよい。
【００２６】
カメラモードで使用している間、被写体輝度は必ずしも一定ではなく、測定された被写体輝度Ｓが様々に変動することも少なくない。このとき、「ＳL ≦Ｓ≦ＳH 」の範囲で変化する限りは特に処理を変える必要はないが、「Ｓ＞ＳH 」，「ＳL ≦Ｓ≦ＳH 」，「Ｓ＜ＳL 」の範囲にまたがって変化する場合には、フラグＳH ，フラグＳL の有無及び、絞り羽根３０が開放絞り位置にあるか小絞り位置にあるかに応じ、図６のフローチャートに示す処理が行われる。
【００２７】
すなわち、被写体輝度Ｓが「Ｓ＞ＳH 」の状態から「ＳL ≦Ｓ≦ＳH 」の状態に変化したときには、そのまま紫外線ＬＥＤ２４の点灯を継続して絞り羽根３０を小絞り位置まで移動させた後に紫外線ＬＥＤ２４を消灯させる。同様に、被写体輝度Ｓが「Ｓ＜ＳL 」の状態から「ＳL ≦Ｓ≦ＳH 」の状態に変化したときには白色ＬＥＤ２５の点灯を継続して絞り羽根３０を開放絞り位置まで移動させた後に白色ＬＥＤ２５を消灯させる。そして、被写体輝度Ｓが「Ｓ＞ＳH 」の状態と「Ｓ＜ＳL 」の状態との間で大きく変わったときには、それぞれの状態に応じて紫外線ＬＥＤ２４と白色ＬＥＤ２５との点灯，消灯を切り替えて絞り羽根３０の移動方向を切り替える。
【００２８】
以上のように、紫外線ＬＥＤ２４を点灯させる「Ｓ＞ＳH 」の範囲と、白色ＬＥＤ２５を点灯させる「Ｓ＜ＳL 」の範囲との間に、これらのＬＥＤ２４，２５の点灯切替えを行わない緩衝範囲「ＳL ≦Ｓ≦ＳH 」を設定しておくと、これらのＬＥＤ２４，２５の点灯制御と消灯制御とが短い周期で煩雑に切り替わって絞り羽根３０が不安定になることもなく、安定した絞り制御が可能となる。なお、紫外線ＬＥＤ２４や白色ＬＥＤ２５の点灯で絞り駆動シート３５を応答性よく変形，復元させるためにある程度の温度が必要であるなら、赤外線を放射するＬＥＤやマイクロヒータなどからの輻射熱で加熱すればよい。
【００２９】
また、極端に被写体輝度Ｓが高くなる晴天時の海岸や雪山には紫外線も非常に多いことが知られている。そこで、外界光をライトガイドを通して絞り駆動シートに照射する構成にするとともに、可視光カット・紫外線透過フィルタと、紫外線カット・可視光透過フィルタとをライトガイドの前で選択的に挿脱し、被写体輝度に応じてこれらのフィルタを切替えることによって、絞り羽根を作動させることも可能である。
【００３０】
図７に別の実施形態を示す。この実施形態では、絞りリング４０を光軸中心に回転させることにより、４枚の絞り羽根３０を軸３１を中心に一斉に揺動させるようにしている。絞りリング４０には光軸を中心とする円弧状のガイドスロット４１が形成され、絞り羽根３０の軸３１によってその回転がガイドされる。絞りリング４０にはピン４２が突設されており、絞り羽根３０の各々に形成されたカムスロット４３に係合している。絞りリング４０は、内筒４６との間にかけられた弱いバネ４４で反時計方向に付勢されている。
【００３１】
絞りリング４０の外周にアーム４５が一体に設けられ、内筒４６の切欠き４６ａから外部に突出している。アーム４５の先端に駆動ピン４７が設けられ、内筒４６の外周には絞り駆動シート５０の一端側が固定されている。絞り駆動シート５０は、先の実施形態で用いられてものと同様の光変形特性を有し、平坦な状態では駆動ピン４７の内側でほぼ真っ直ぐ上方に延びている。絞り駆動シート５０に対面するように紫外線ＬＥＤ２４と白色ＬＥＤ２５が設けられ、先の実施形態と同様、それぞれの点灯により絞り駆動シート５０には紫外線または白色光が照射される。
【００３２】
被写体輝度が高いとき、紫外線ＬＥＤ２４を点灯させると絞り駆動シート５０が図中の破線で示すように変形し、駆動ピン４７を押し下げる。これに伴い、絞りリング４０がバネ４４の付勢に抗して時計方向に回動するから、４枚の絞り羽根３０は各々の軸３１の回りに一斉に時計方向に揺動し、各々の前縁が開口２８の内側に入り込む。この結果、開口２８が絞り羽根３０によって絞り込まれ小絞り状態に切り替わる。また、被写体輝度が低いときには紫外線ＬＥＤ２４の代わりに白色ＬＥＤ２５が点灯し、絞り駆動シート５０が図示した平坦な状態に戻るから、絞りリング４０はバネ４４の付勢により図示位置に戻り、開放絞り状態となる。この実施形態によれば、一枚の絞り駆動シート５０の変形により４枚の絞り羽根３０を一斉に開放絞り位置と小絞り位置との間で移動させるので、絞り羽根３０の移動が個々にばらつくことがない。
【００３３】
図４及び図７で説明した実施形態では、いずれも絞り羽根を開放絞り位置に戻すためにバネ３２，４４が用いられ、これらの付勢に抗して絞り駆動シートを変形させて絞り羽根を小絞り位置に移動させているため、絞り駆動シートには容易に変形しながらもある程度以上の剛性が必要となる。特に図７の実施形態では、絞りリング４０を回転させて４枚の絞り羽根を一斉に小絞り位置に移動させなくてはならないため、絞り駆動シートが柔軟過ぎると絞りリング４０を回転させ得る駆動力が得られなくなる。絞り駆動シートの剛性をあまり大きくすることができない場合には、次の図８に示す実施形態が有効となる。
【００３４】
図８に示す実施形態は、２枚の絞り羽根５２を各々の軸５３を中心に揺動させるようにしたもので、同図（Ａ）が開口２８によって明るさが決まる開放絞り位置を、同図（Ｂ）が絞り羽根５２によって明るさが決まる小絞り位置に移動したときの様子を示す。絞り羽根５２の移動範囲は、図４の実施例と同様の作用を行うスロット３３，ピン３４で規制される。絞り羽根５２にはピン５４が突設され、その各々には絞り駆動シート５５の自由端に固着された連結部材５６が係合している。連結部材５６は前記ピン５４を受容する長穴を有し、また絞り駆動シート５５は先の実施形態と同様に光変形特性を有するプラスチック素材からなり、その他端側はピン３４及び軸５３と共通のベース部材に固定されている。これらの絞り駆動シート５５に対面して紫外線ＬＥＤ２４と白色ＬＥＤ２５とが設けられる。
【００３５】
図８（Ａ）に示すように、絞り駆動シート５５が平坦に延びた状態にあるときには連結材５６がピン５４を介して絞り羽根５２を押し広げて開放絞り位置に移動させ、開口２８は全開される。被写体輝度が高いと紫外線ＬＥＤ２４が点灯し、絞り駆動シート５５が湾曲変形する。これに伴い、同図（Ｂ）に示すように連結部材５６も傾いて、長穴を介してピン５５を引き込むようになり、絞り羽根５２が小絞り位置に移動して絞り羽根５２の前縁により開口径を小さくする。なお、被写体輝度が低い時には白色ＬＥＤ２５を点灯させることによって絞り駆動シート５５が同図（Ａ）の状態に戻り、開放絞りとなる。この実施形態では、絞り駆動シート５５の変形だけを利用して絞り羽根５２を開放絞り位置と小絞り位置に移動させることができるので、別のバネを利用して絞り羽根５２を一方に付勢せずに済み、絞り駆動シート自体の剛性も小さくて済むようになる。
【００３６】
以上、図示した実施形態にしたがって本発明について説明してきたが、絞り羽根や絞り駆動シートの枚数は増減可能で、例えば絞り羽根の移動方向に関してスリット幅が異なる一枚の絞り羽根を開口２８の前面に移動自在に配置し、一枚の絞り駆動シートの変形でこの絞り羽根を移動させるようにしてもよい。また、紫外線や白色光の照射量を調節して絞り駆動シートの変形の度合いを制御することも可能であるから、上記実施形態のように二段階で絞り口径を変えるものだけでなく、被写体輝度に応じて紫外線の照射量や照射時間を調節することにより絞り口径を複数段階に変えることも可能である。
【図面の簡単な説明】
【００３７】
【図１】本発明を用いたデジタルカメラ内蔵型携帯電話機の外観図である。
【図２】携帯電話機に内蔵されたカメラ部分の要部概略断面図である。
【図３】絞り装置の分解斜視図である。
【図４】開放絞り状態における絞り装置の内部構造を示す要部断面図である。
【図５】小絞り状態における絞り装置の内部構造を示す要部断面図である。
【図６】絞り制御処理の流れを示すフローチャートである。
【図７】本発明の他の実施形態を示す要部断面図である。
【図８】本発明のさらに別の実施形態を示す概略構成図である。
【符号の説明】
【００３８】
２  携帯電話機
５  撮影レンズ
１５  ＣＣＤイメージセンサ
２０  絞り装置
２２  内筒
２３  外筒
２４  紫外線ＬＥＤ
２５  白色ＬＥＤ
２７  開口
２８  開口
３０，５２  絞り羽根
３５，５０，５５  絞り駆動シート
４０  絞りリング
５６  連結部材
【図１】
2005181869.tif 000003
【図２】
2005181869.tif 000004
【図３】
2005181869.tif 000005
【図４】
2005181869.tif 000006
【図５】
2005181869.tif 000007
【図６】
2005181869.tif 000008
【図７】
2005181869.tif 000009
【図８】
2005181869.tif 000010